【手続補正書】
【提出日】平成15年11月19日(2003.11.19)
【手続補正１】
【補正対象書類名】明細書
【補正対象項目名】特許請求の範囲
【補正方法】変更
【補正の内容】
【特許請求の範囲】
【請求項１】
被購入対象の指定情報及び被購入対象の購入条件が少なくとも含まれる購入情報を入力する少なくとも１以上の端末と、
前記端末とネットワークにより接続され、該端末から送信される前記購入情報を受信する少なくとも１以上のサーバとを備え、
前記サーバは、受信した複数の購入情報のうち前記指定情報が同一の購入情報を前記購入条件に基づいて一つにまとめ、一つの購入情報として被購入対象の購入処理を行う購入システム。
【請求項２】
前記サーバは、前記購入処理によって購入した被購入対象を、各購入依頼者の購入数に応じて各購入依頼者に引き渡す処理を行う請求項１に記載の購入システム。
【請求項３】
前記サーバは、前記購入処理によって購入した被購入対象の、各購入依頼者の購入数分の持分が記載された預り証を発行する請求項１に記載の購入システム。
【請求項４】
前記端末は、
前記購入依頼者が保持する非対称暗号方式の第１の鍵データでデジタル署名して作成された署名データを、前記購入情報に付与して前記サーバに送信する請求項１から３のいずれか１項に記載の購入システム。
【請求項５】
前記サーバは、
前記購入情報に付与された署名データを、前記非対称暗号方式の前記第１の鍵データと対になる第２の鍵データで認証し、該認証が確認された場合に前記購入を受注する請求項４に記載の購入システム。
【請求項６】
前記購入情報が、
前記端末上において購入者が可読し得る覚書情報として提示される請求項１から５のいずれか１項に記載の購入システム。
【請求項７】
前記端末は、
前記購入情報に前記購入者のデジタル証明書データを付与する請求項１から６のいずれか１項に記載の購入システム。
【請求項８】
前記サーバは、
前記デジタル証明書データの正当性が確認された場合に前記購入を受注する請求項７に記載の購入システム。
【請求項９】
前記サーバは、
前記購入を受注した場合に、被購入対象の販売者のデジタル署名を行うことにより作成された署名データを、前記受信した購入情報に付与して前記端末に送信する請求項１から８のいずれか１項に記載の購入システム。
【請求項１０】
被購入対象の指定情報及び被購入対象の購入条件が少なくとも含まれる購入情報を入力する少なくとも１以上の端末と、前記端末とネットワークにより接続され、該端末から送信される前記購入情報を受信する少なくとも１以上のサーバとを備えたシステムに適用される購入方法であって、
前記サーバが受信した複数の購入情報のうち前記指定情報が同一の購入情報を前記購入条件に基づいて一つにまとめる工程と、
該一つにまとめられた購入情報に基づいて被購入対象の購入処理を行う工程とを備える購入方法。
【請求項１１】
被購入対象の指定情報及び被購入対象の購入条件が少なくとも含まれる購入情報を入力する少なくとも１以上の端末とネットワークにより接続され、
該端末から送信される前記購入情報を受信し、
該受信した複数の購入情報のうち前記指定情報が同一の購入情報を前記購入条件に基づいて一つにまとめ、一つの購入情報として被購入対象の購入処理を行うサーバ。
【請求項１２】
被購入対象の指定情報及び被購入対象の購入条件が少なくとも含まれる購入情報を入力する端末であって、
受信した複数の購入情報のうち前記指定情報が同一の購入情報を前記購入条件に基づいて一つにまとめ、一つの購入情報として被購入対象の購入処理を行うサーバとネットワークにより接続された端末。
【請求項１３】
コンピュータに被購入対象の購入処理を行わせる購入プログラムを記録した記録媒体であって、
端末から送信された、被購入対象の指定情報及び被購入対象の購入条件が少なくとも含まれる購入情報を受信するステップと、
前記受信した複数の購入情報のうち前記指定情報が同一の購入情報を前記購入条件に基づいて一つにまとめて記憶手段に記憶するステップと、
前記記憶手段に記憶された一つにまとめられた購入情報に基づいて被購入対象の購入処理を行うステップとを備える購入プログラムを記録した記録媒体。
【手続補正２】
【補正対象書類名】明細書
【補正対象項目名】００１１
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４０
【補正方法】削除
【補正の内容】
【手続補正２４】
【補正対象書類名】明細書
【補正対象項目名】００４２
【補正方法】削除
【補正の内容】
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】００４５
【補正方法】削除
【補正の内容】
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】削除
【補正の内容】
【手続補正３０】
【補正対象書類名】明細書
【補正対象項目名】００４８
【補正方法】削除
【補正の内容】
【手続補正３１】
【補正対象書類名】明細書
【補正対象項目名】００４９
【補正方法】削除
【補正の内容】
【手続補正３２】
【補正対象書類名】明細書
【補正対象項目名】００５０
【補正方法】削除
【補正の内容】
【手続補正３３】
【補正対象書類名】明細書
【補正対象項目名】００５１
【補正方法】削除
【補正の内容】
【手続補正３４】
【補正対象書類名】明細書
【補正対象項目名】００５３
【補正方法】削除
【補正の内容】
【手続補正３５】
【補正対象書類名】明細書
【補正対象項目名】００５４
【補正方法】削除
【補正の内容】
【手続補正３６】
【補正対象書類名】明細書
【補正対象項目名】００５５
【補正方法】削除
【補正の内容】
【手続補正３７】
【補正対象書類名】明細書
【補正対象項目名】００５６
【補正方法】削除
【補正の内容】
【手続補正３８】
【補正対象書類名】明細書
【補正対象項目名】００５７
【補正方法】削除
【補正の内容】
【手続補正３９】
【補正対象書類名】明細書
【補正対象項目名】００５８
【補正方法】削除
【補正の内容】
【手続補正４０】
【補正対象書類名】明細書
【補正対象項目名】００５９
【補正方法】削除
【補正の内容】
【手続補正４１】
【補正対象書類名】明細書
【補正対象項目名】００６０
【補正方法】削除
【補正の内容】
【手続補正４２】
【補正対象書類名】明細書
【補正対象項目名】００６１
【補正方法】削除
【補正の内容】
【手続補正４３】
【補正対象書類名】明細書
【補正対象項目名】００６２
【補正方法】削除
【補正の内容】